(57)【要約】【課題】音声データを表示されるコンテンツと同期させて自由に構成・作成し、配信できるシステムの提供。【解決手段】作成または編集された音声データを、ＷＥＢ上で配信可能なデータ形式にエンコードする処理と、音声データのタイムライン上における所定の時間軸の範囲に関連付けて、時間軸に従い表示される時系列データファイルを指定するスクリプトコマンドを、音声データに挿入する処理と、時間軸に従い表示される時系列データファイル・表示エリアおよび再生制御エリアを含む表示エリアデータファイルを、指定された格納場所に記憶する処理とを行い作成する。【選択図】　図１
2004045776.tif 000002
【特許請求の範囲】
【請求項１】
入力手段、制御手段、表示手段、出力手段、記憶手段等を備えるコンピュータ等の端末において操作により行われるデータ処理方法であって、
作成または編集された音声データを、ＷＥＢ上で配信可能なデータ形式にエンコードする処理と、
音声データのタイムライン上における所定の時間軸の範囲に関連付けて、時間軸に従い表示される時系列データファイルを指定するスクリプトコマンドを、音声データに挿入する処理と、
前記のスクリプトコマンドの挿入処理を、表示される時系列データファイルごとに必要に応じ行う処理と、
音声データのタイムライン上における所定の時間軸の範囲に関連付けて挿入されたスクリプトコマンドにより指定された、時間軸に従い表示される時系列データファイル、および前記時系列データファイルを表示させる表示エリアと、表示エリアに時系列データファイルを表示させる記述を含む再生制御エリアとを含む表示エリアデータファイルを、指定された格納場所に記憶する処理と、
を少なくとも経ることを特徴とする、配信音声データの作成方法。
【請求項２】
入力手段、制御手段、表示手段、出力手段、記憶手段等を備え、インターネットに代表される通信手段に接続されて備えられたサーバーにアクセス可能なコンピュータ等の端末において、操作により行われるデータ処理方法であって、
作成または編集された音声データを、ＷＥＢ上で配信可能なデータ形式にエンコードする処理と、
音声データのタイムライン上における所定の時間軸の範囲に関連付けて、時間軸に従い表示される時系列データファイルを指定するスクリプトコマンドを、音声データに挿入する処理と、
前記のスクリプトコマンドの挿入処理を、表示される時系列データファイルごとに必要に応じ行う処理と、
音声データのタイムライン上における所定の時間軸の範囲に関連付けて挿入されたスクリプトコマンドにより指定された、時間軸に従い表示される時系列データファイル、および前記時系列データファイルを表示させる表示エリアと、表示エリアに時系列データファイルを表示させる記述を含む再生制御エリアとを含む表示エリアデータファイルを、指定された格納場所に記憶する処理と、
前記の処理により作成された音声データ、時間軸に従い表示される時系列データファイル、および表示エリアと再生制御エリアとを含む表示エリアデータファイルを、サーバーの所定場所に格納する処理と、を少なくとも経ることを特徴とする、配信音声データの作成方法。
【請求項３】
請求項１または２に記載の発明において、
時間軸に従い表示される時系列データファイルは、ＨＴＭＬなどのハイパーテキストデータ、テキストデータ、画像データ、動画像データ、アニメーションデータ、のいずれかを少なくとも含むことを特徴とする、配信音声データの作成方法。
【請求項４】
請求項１〜３に記載の発明において、
前記時系列データファイルを表示させる表示エリアと再生制御エリアとを含む表示エリアデータファイルは、ＨＴＭＬなどのハイパーテキストデータであって、スクリプトコマンドを含む音声データを指定する記述、および表示エリアにデータファイルを表示させる記述を含む再生制御エリアと、
時系列データファイルが表示される表示エリアと、を少なくとも含み構成されることを特徴とする、配信音声データの作成方法。
【請求項５】
請求項１〜４に記載の発明において、
音声データのタイムライン上における所定の時間軸の範囲に関連付けて挿入されたスクリプトコマンドは、音声データのタイムライン上の時間と、スクリプトコマンドの種類と、スクリプトコマンドから表示エリアデータファイルに渡されて表示エリアに表示させる時系列データファイルを識別するパラメータとを含むことを特徴とする、配信音声データの作成方法。
【請求項６】
入力手段、制御手段、表示手段、出力手段、記憶手段等を備えるコンピュータ等の端末において操作により行われるデータ処理システムであって、
作成または編集された音声データ素材を記憶する音声データ素材記憶手段と、
作成または編集された音声データを、ＷＥＢ上で配信可能なデータ形式にエンコードする音声データエンコード手段と、
音声データのタイムライン上における所定の時間軸の範囲に関連付けて、時間軸に従い表示される時系列データファイルを指定するスクリプトコマンドを、音声データに挿入し、前記のスクリプトコマンドの挿入処理を、表示される時系列データファイルごとに必要に応じ行う、スクリプトコマンド作成挿入手段と、
スクリプトコマンドが挿入された音声データを記憶する音声データ記憶手段と、音声データのタイムライン上における所定の時間軸の範囲に関連付けて挿入されたスクリプトコマンドにより指定された、時間軸に従い表示される時系列データファイルを記憶する時系列データファイル記憶手段と、
前記時系列データファイルを表示させる表示エリアと再生制御エリアとを含む表示エリアデータファイルを記憶する表示エリアデータファイル記憶手段と、
を少なくとも備えることを特徴とする、配信音声データの作成システム。
【請求項７】
インターネットに代表される通信手段に接続されて備えられたサーバーシステムであって、
ＷＥＢ上で配信可能なデータ形式にエンコードされた音声データのタイムライン上における所定の時間軸の範囲に関連付けて、時間軸に従い表示される時系列データファイルを指定するスクリプトコマンドを、表示される時系列データファイルごとに必要に応じ挿入した音声データを記憶する、音声データ記憶手段と、
音声データのタイムライン上における所定の時間軸の範囲に関連付けて挿入されたスクリプトコマンドにより指定された、時間軸に従い表示される時系列データファイルを記憶する時系列データファイル記憶手段と、
前記時系列データファイルを表示させる表示エリアと再生制御エリアとを含む表示エリアデータファイルを記憶する表示エリアデータファイル記憶手段と、
サーバーシステムにアクセスし、音声データの配信要求を行ったユーザー端末に対し、配信要求に従い、表示エリアデータファイルと、ユーザーがユーザー端末からの選択・指定により配信要求した音声データファイルとを配信するデータ配信手段と、
配信され再生される音声データに挿入された、スクリプトコマンドを解釈し、タイムライン上における所定の時間軸の範囲に関連付けられた時系列データファイルを抽出するスクリプトコマンド解釈手段と、
抽出された時系列データファイルをユーザー端末に送信し、所定の表示エリアに表示させるデータファイル表示制御手段と、
を少なくとも備えることを特徴とする、音声データの配信システム。
【請求項８】
請求項７に記載の発明において、
時間軸に従い表示される時系列データファイルは、ＨＴＭＬなどのハイパーテキストデータ、テキストデータ、画像データ、動画像データ、アニメーションデータ、のいずれかを少なくとも含むことを特徴とする、音声データの配信システム。
【請求項９】
請求項７または８に記載の発明において、
前記時系列データファイルを表示させる表示エリアと再生制御エリアとを含む表示エリアデータファイルは、ＨＴＭＬなどのハイパーテキストデータであって、スクリプトコマンドを含む音声データを指定する記述、および表示エリアに時系列データファイルを表示させる記述を含む再生制御エリアと、
時系列データファイルが表示される表示エリアと、を少なくとも含み構成されることを特徴とする、音声データの配信システム。
【請求項１０】
請求項７〜９に記載の発明において、
音声データのタイムライン上における所定の時間軸の範囲に関連付けて挿入されたスクリプトコマンドにより指定された、時間軸に従い表示される広告等データファイルを記憶する広告等データファイル記憶手段が備えられ、
時間軸に従い表示される時系列データファイルの少なくともいずれかが、配信音声データのスポンサーが提供する広告等データファイルであるように、前記のスクリプトコマンドにおいて指定されたことを特徴とする、音声データの配信システム。
【請求項１１】
請求項７〜１０に記載の発明において、
音声データのタイムライン上における所定の時間軸の範囲に関連付けて挿入されたスクリプトコマンドは、音声データのタイムライン上の時間と、スクリプトコマンドの種類と、スクリプトコマンドから表示エリアデータファイルに渡されて表示エリアに表示させる時系列データファイルを識別するパラメータとを含むことを特徴とする、音声データの配信システム。
【請求項１２】
請求項７〜１１に記載の発明において、
前記の時系列データファイル、または表示エリアデータファイルには、他のデータファイルへのハイパーリンク情報が記述されていることを特徴とする、音声データの配信システム。
【請求項１３】
請求項７〜１２に記載の発明において、
前記の時系列データファイル、または表示エリアデータファイルには、再生、停止、一時停止、スキップ、等の再生制御コマンド情報が記述されたことを特徴とする、音声データの配信システム。
【請求項１４】
請求項１３に記載の発明において、
前記の再生制御コマンドにより制御される時系列データファイルは、動画像データなどの時間軸に従い再生される時系列データファイルであって、
音声データのタイムラインと、再生され表示される時系列データファイルのタイムラインとを同期させるための時間計測・制御手段が備えられたことを特徴とする、音声データの配信システム。
【請求項１５】
インターネットに代表される通信手段に接続されて備えられ、
ＷＥＢ上で配信可能なデータ形式にエンコードされた音声データのタイムライン上における所定の時間軸の範囲に関連付けて、時間軸に従い表示される時系列データファイルを指定するスクリプトコマンドを、表示される時系列データファイルごとに必要に応じ挿入した音声データを記憶する、音声データ記憶手段と、
音声データのタイムライン上における所定の時間軸の範囲に関連付けて挿入されたスクリプトコマンドにより指定された、時間軸に従い表示される時系列データファイルを記憶する時系列データファイル記憶手段と、
前記時系列データファイルを表示させる表示エリアと再生制御エリアとを含む表示エリアデータファイルを記憶する表示エリアデータファイル記憶手段と、
を少なくとも備えるサーバーシステムを用いて、
サーバーシステムにアクセスし、音声データの配信要求を行ったユーザー端末に対し、配信要求に従い、表示エリアデータファイルと、ユーザーがユーザー端末からの選択・指定により配信要求した音声データファイルとを配信する処理と、配信され再生される音声データに挿入された、スクリプトコマンドを解釈し、タイムライン上における所定の時間軸の範囲に関連付けられた時系列データファイルを抽出する処理と、
抽出された時系列データファイルをユーザー端末に送信し、所定の表示エリアに表示させる処理と、
を少なくとも経ることを特徴とする、音声データの配信方法。
【発明の詳細な説明】
【０００１】
【発明の属する技術分野】
本発明は、配信音声データの作成方法、配信音声データの作成システム、音声データの配信システム、および音声データの配信方法に関する。
【０００２】
【従来の技術】
従来、音声データや動画データなどのインターネットを通じた配信、再生をしながら配信を行うストリーミング配信などの技術が開発されている。これに伴い、様々なコンテンツの開発や、配信方法の開発が求められている。
殊に、音声データについては、音楽配信などが盛んに試みられるようになっており、ブロードバンド等が普及して配信速度などの環境が整えば、インターネットを介してブラウザにより番組を視聴可能になることも想定されている。
【０００３】
【発明が解決しようとする課題】
従来の音声データ配信においても、すでに音声データを配信する方法や、ブラウザのプラグインソフトなどにより再生をする方法が開発されている。
ところで、音声、映像、画像、文字などの様々なデータ形式を扱い、再生することのできるコンピュータを用いた通信においては、単に音声データのみではインフラを十二分に活用したことにはならず、ユーザーの興味も魅きにくい。
また、従来のテレビ番組のような番組形式のような配信方法がされる場合などを想定すれば、広告スポンサーなどが番組提供をすることが、経済的には好ましいが、そのためには広告を出したくなるような表現方法と、ユーザーの関心や利用者数などを集めやすい、表現豊かな配信形式を開発することが求められる。
さらに、音声データは音楽に限られず、講演、セミナー、講義、教材、その他の様々な利用方法が考えられるが、これらにあっても音声のみでなく、画像、映像、その他のコンテンツを含めた表現形式であることが望ましい。
【０００４】
従来、音声データと画像や映像などの他の形式のデータを組み合わせたデータとしては、動画像データやプレゼンテーションデータ、スライドショーデータなどが知られており、特に動画像（ムービー）データは映画や番組、音楽でもプロモーションビデオやライブ映像などにおいて従来のビデオや、デジタル映像などにおいても利用されている。
たとえば、特開平１１−１６１６６３「動画再生制御方法およびその方法が適用される画像表示装置」においては、ＤＶＤビデオタイトルとインターネットで提供されるＨＴＭＬファイルとを融合させた技術が提案されている。
ＤＶＤビデオの再生中にリモコンのＷｅｂボタンが押されると、現在再生されているビデオオブジェクトユニットのナビパックからＵＲＬを取り出し、そのＵＲＬを、ＷＷＷブラウザに表示したいインターネットアドレスとして渡す。これにより、そのＵＲＬに対応するＨＴＭＬコンテンツが外部サーバから取得されて、画面表示され、再生中のシーンの動画映像ごとに、それに対応するＨＴＭＬコンテンツを順次インターネットを通じて取得してそれを再生中のシーンに連動して表示するというものである。
しかしながら、この方式においては、単に映像を格納したＤＶＤという記憶媒体に、ＵＲＬが記憶されていてそのＷＥＢページへ飛ぶために、通信速度がはやくなったとしても、動画映像とそれに対応するＨＴＭＬコンテンツとは、時間的に同期しているものではない。同期していないものを、同時に表示させるのでは、ビデオを見ながら別のテレビ番組を見ているということでしかない。
【０００５】
一方、音声データと映像その他のコンテンツの同期した再生としては、従来のアナログビデオや、デジタル映像などにおいても利用されている。前記の音楽のプロモーションビデオやライブ映像などがその一例である。
しかしながら、これらはあらかじめ制作者が音声入り映像等として制作したものであり、制作費が膨大な金額になるほか、権利関係などの処理が複雑である。インターネット等を用いて簡単な設備等で配信が可能な場合には、配信者の創意工夫により音声と映像とを組み合わせて構成したり、簡単な処理と安価な費用により構成し直したりできることが望まれる。
また、音声入りデジタル映像などは配信条件によってはデータサイズが大きすぎたりすることが多いが、音声と共に表示されるコンテンツとして、ＨＴＭＬファイル、その他のデータ量の少ないコンテンツや、様々なデータ形式、データ内容のコンテンツを自由に組み合わせて構成することができれば、上記の様々な課題を解決することが可能になる。また、このようにしてあらゆるコンテンツを利用可能な、音声と他のデータとの同期再生が可能になれば、今後普及が見込まれるデータ配信、インターネットを通じた番組配信においても、配信するコンテンツの不足や、コンテンツ制作の期間、費用、人材などに悩まされることも少なくなる。
【０００６】
【課題を解決するための手段】
上記課題を解決するため、請求項１に記載の発明においては、
入力手段、制御手段、表示手段、出力手段、記憶手段等を備えるコンピュータ等の端末において操作により行われるデータ処理方法であって、
作成または編集された音声データを、ＷＥＢ上で配信可能なデータ形式にエンコードする処理と、
音声データのタイムライン上における所定の時間軸の範囲に関連付けて、時間軸に従い表示される時系列データファイルを指定するスクリプトコマンドを、音声データに挿入する処理と、
前記のスクリプトコマンドの挿入処理を、表示される時系列データファイルごとに必要に応じ行う処理と、
音声データのタイムライン上における所定の時間軸の範囲に関連付けて挿入されたスクリプトコマンドにより指定された、時間軸に従い表示される時系列データファイル、および前記時系列データファイルを表示させる表示エリアと、表示エリアに時系列データファイルを表示させる記述を含む再生制御エリアとを含む表示エリアデータファイルを、指定された格納場所に記憶する処理と、
を少なくとも経る、配信音声データの作成方法であることを特徴としている。
【０００７】
また、上記課題を解決するため、請求項２に記載の発明においては、
入力手段、制御手段、表示手段、出力手段、記憶手段等を備え、インターネットに代表される通信手段に接続されて備えられたサーバーにアクセス可能なコンピュータ等の端末において、操作により行われるデータ処理方法であって、
作成または編集された音声データを、ＷＥＢ上で配信可能なデータ形式にエンコードする処理と、
音声データのタイムライン上における所定の時間軸の範囲に関連付けて、時間軸に従い表示される時系列データファイルを指定するスクリプトコマンドを、音声データに挿入する処理と、
前記のスクリプトコマンドの挿入処理を、表示される時系列データファイルごとに必要に応じ行う処理と、
音声データのタイムライン上における所定の時間軸の範囲に関連付けて挿入されたスクリプトコマンドにより指定された、時間軸に従い表示される時系列データファイル、および前記時系列データファイルを表示させる表示エリアと、表示エリアに時系列データファイルを表示させる記述を含む再生制御エリアとを含む表示エリアデータファイルを、指定された格納場所に記憶する処理と、
前記の処理により作成された音声データ、時間軸に従い表示される時系列データファイル、および表示エリアを含む表示エリアデータファイルを、サーバーの所定場所に格納する処理と、を少なくとも経る、配信音声データの作成方法であることを特徴としている。
【０００８】
また、上記課題を解決するため、請求項３に記載の発明においては、
請求項１または２に記載の発明において、
時間軸に従い表示される時系列データファイルは、ＨＴＭＬなどのハイパーテキストデータ、テキストデータ、画像データ、動画像データ、アニメーションデータ、のいずれかを少なくとも含む、配信音声データの作成方法であることを特徴としている。
【０００９】
また、上記課題を解決するため、請求項４に記載の発明においては、
請求項１〜３に記載の発明において、
前記時系列データファイルを表示させる表示エリアと再生制御エリアとを含む表示エリアデータファイルは、ＨＴＭＬなどのハイパーテキストデータであって、スクリプトコマンドを含む音声データを指定する記述、および表示エリアに時系列データファイルを表示させる記述を含む再生制御エリアと、
時系列データファイルが表示される表示エリアと、を少なくとも含み構成される、配信音声データの作成方法であることを特徴としている。
【００１０】
また、上記課題を解決するため、請求項５に記載の発明においては、
請求項１〜４に記載の発明において、
音声データのタイムライン上における所定の時間軸の範囲に関連付けて挿入されたスクリプトコマンドは、音声データのタイムライン上の時間と、スクリプトコマンドの種類と、スクリプトコマンドから表示エリアデータファイルに渡されて表示エリアに表示させる時系列データファイルを識別するパラメータとを含む、配信音声データの作成方法であることを特徴としている。
【００１１】
また、上記課題を解決するため、請求項６に記載の発明においては、
入力手段、制御手段、表示手段、出力手段、記憶手段等を備えるコンピュータ等の端末において操作により行われるデータ処理システムであって、
作成または編集された音声データ素材を記憶する音声データ素材記憶手段と、
作成または編集された音声データを、ＷＥＢ上で配信可能なデータ形式にエンコードする音声データエンコード手段と、
音声データのタイムライン上における所定の時間軸の範囲に関連付けて、時間軸に従い表示される時系列データファイルを指定するスクリプトコマンドを、音声データに挿入し、前記のスクリプトコマンドの挿入処理を、表示される時系列データファイルごとに必要に応じ行う、スクリプトコマンド作成挿入手段と、
スクリプトコマンドが挿入された音声データを記憶する音声データ記憶手段と、音声データのタイムライン上における所定の時間軸の範囲に関連付けて挿入されたスクリプトコマンドにより指定された、時間軸に従い表示される時系列データファイルを記憶する時系列データファイル記憶手段と、
前記時系列データファイルを表示させる表示エリアと再生制御エリアとを含む表示エリアデータファイルを記憶する表示エリアデータファイル記憶手段と、
を少なくとも備える、配信音声データの作成システムであることを特徴としている。
【００１２】
また、上記課題を解決するため、請求項７に記載の発明においては、
インターネットに代表される通信手段に接続されて備えられたサーバーシステムであって、
ＷＥＢ上で配信可能なデータ形式にエンコードされた音声データのタイムライン上における所定の時間軸の範囲に関連付けて、時間軸に従い表示される時系列データファイルを指定するスクリプトコマンドを、表示される時系列データファイルごとに必要に応じ挿入した音声データを記憶する、音声データ記憶手段と、
音声データのタイムライン上における所定の時間軸の範囲に関連付けて挿入されたスクリプトコマンドにより指定された、時間軸に従い表示される時系列データファイルを記憶する時系列データファイル記憶手段と、
前記時系列データファイルを表示させる表示エリアと再生制御エリアとを含む表示エリアデータファイルを記憶する表示エリアデータファイル記憶手段と、
サーバーシステムにアクセスし、音声データの配信要求を行ったユーザー端末に対し、配信要求に従い、表示エリアデータファイルと、ユーザーがユーザー端末からの選択・指定により配信要求した音声データファイルとを配信するデータ配信手段と、
配信され再生される音声データに挿入された、スクリプトコマンドを解釈し、タイムライン上における所定の時間軸の範囲に関連付けられた時系列データファイルを抽出するスクリプトコマンド解釈手段と、
抽出された時系列データファイルをユーザー端末に送信し、所定の表示エリアに表示させるデータファイル表示制御手段と、
を少なくとも備える、音声データの配信システムであることを特徴としている。
【００１３】
また、上記課題を解決するため、請求項８に記載の発明においては、
請求項７に記載の発明において、
時間軸に従い表示される時系列データファイルは、ＨＴＭＬなどのハイパーテキストデータ、テキストデータ、画像データ、動画像データ、アニメーションデータ、のいずれかを少なくとも含む、音声データの配信システムであることを特徴としている。
【００１４】
また、上記課題を解決するため、請求項９に記載の発明においては、
請求項７または８に記載の発明において、
前記時系列データファイルを表示させる表示エリアと再生制御エリアとを含む表示エリアデータファイルは、ＨＴＭＬなどのハイパーテキストデータであって、スクリプトコマンドを含む音声データを指定する記述、および表示エリアに時系列データファイルを表示させる記述を含む再生制御エリアと、
時系列データファイルが表示される表示エリアと、を少なくとも含み構成される、音声データの配信システムであることを特徴としている。
【００１５】
また、上記課題を解決するため、請求項１０に記載の発明においては、
請求項７〜９に記載の発明において、
音声データのタイムライン上における所定の時間軸の範囲に関連付けて挿入されたスクリプトコマンドにより指定された、時間軸に従い表示される広告等データファイルを記憶する広告等データファイル記憶手段が備えられ、
時間軸に従い表示される時系列データファイルの少なくともいずれかが、配信音声データのスポンサーが提供する広告等データファイルであるように、前記のスクリプトコマンドにおいて指定された、音声データの配信システムであることを特徴としている。
【００１６】
また、上記課題を解決するため、請求項１１に記載の発明においては、
請求項７〜１０に記載の発明において、
音声データのタイムライン上における所定の時間軸の範囲に関連付けて挿入されたスクリプトコマンドは、音声データのタイムライン上の時間と、スクリプトコマンドの種類と、スクリプトコマンドから表示エリアデータファイルに渡されて表示エリアに表示させる時系列データファイルを識別するパラメータとを含む、音声データの配信システムであることを特徴としている。
【００１７】
また、上記課題を解決するため、請求項１２に記載の発明においては、
請求項７〜１１に記載の発明において、
前記の時系列データファイル、または表示エリアデータファイルには、他のデータファイルへのハイパーリンク情報が記述されている、音声データの配信システムであることを特徴としている。
【００１８】
また、上記課題を解決するため、請求項１３に記載の発明においては、
請求項７〜１２に記載の発明において、
前記の時系列データファイル、または表示エリアデータファイルには、再生、停止、一時停止、スキップ、等の再生制御コマンド情報が記述された、音声データの配信システムであることを特徴としている。
【００１９】
また、上記課題を解決するため、請求項１４に記載の発明においては、
請求項１３に記載の発明において、
前記の再生制御コマンドにより制御される時系列データファイルは、動画像データなどの時間軸に従い再生される時系列データファイルであって、
音声データのタイムラインと、再生され表示される時系列データファイルのタイムラインとを同期させるための時間計測・制御手段が備えられた、音声データの配信システムであることを特徴としている。
【００２０】
また、上記課題を解決するため、請求項１５に記載の発明においては、
インターネットに代表される通信手段に接続されて備えられ、
ＷＥＢ上で配信可能なデータ形式にエンコードされた音声データのタイムライン上における所定の時間軸の範囲に関連付けて、時間軸に従い表示される時系列データファイルを指定するスクリプトコマンドを、表示される時系列データファイルごとに必要に応じ挿入した音声データを記憶する、音声データ記憶手段と、
音声データのタイムライン上における所定の時間軸の範囲に関連付けて挿入されたスクリプトコマンドにより指定された、時間軸に従い表示される時系列データファイルを記憶する時系列データファイル記憶手段と、
前記時系列データファイルを表示させる表示エリアと再生制御エリアとを含む表示エリアデータファイルを記憶する表示エリアデータファイル記憶手段と、
を少なくとも備えるサーバーシステムを用いて、
サーバーシステムにアクセスし、音声データの配信要求を行ったユーザー端末に対し、配信要求に従い、表示エリアデータファイルと、ユーザーがユーザー端末からの選択・指定により配信要求した音声データファイルとを配信する処理と、配信され再生される音声データに挿入された、スクリプトコマンドを解釈し、タイムライン上における所定の時間軸の範囲に関連付けられた時系列データファイルを抽出する処理と、
抽出された時系列データファイルをユーザー端末に送信し、所定の表示エリアに表示させる処理と、
を少なくとも経る、音声データの配信方法であることを特徴としている。
【００２１】
【発明の実施の形態】
以下、本発明の実施の形態について図面を参照して説明する。
（実施の形態１）
本発明の第一の実施形態は、入力手段、制御手段、表示手段、出力手段、記憶手段等を備えるコンピュータ等の端末において操作によりデータ処理を行う、配信音声データの作成方法、およびこの方法を実施するための配信音声データの作成システムである。
【００２２】
図１は、本発明の第一の実施形態の基本的な構成の一例を示すブロック図である。
本発明の第一の実施形態のシステムとしては、入力手段、制御手段、表示手段、出力手段、記憶手段等を備えるコンピュータ等の端末において実現され、通常、パーソナルコンピュータやワークステーション、サーバー装置などのコンピュータ端末が用いられる。
コンピュータ端末は、制御手段、記憶手段、入力手段、出力手段、表示手段などを備える。またインターネットに代表されるコンピュータネットワークに接続詞、データの送受信を行う機能を備え、ブラウザや電子メールソフトウェア、ワードプロセッサなどのアプリケーションプログラムや、オペレーティングシステム（ＯＳ）を備えることが通常の形態である。
【００２３】
図１において、記憶手段は、メモリやハードディスク、ＣＤ−ＲＯＭ、ＭＯ、ＤＶＤ、各種メモリカード、その他の情報記憶媒体や、コンピュータ端末とケーブルやＬＡＮなどで接続された外付けのハードディスクや、サーバー装置などを含む。
入力手段はキーボードやマウス、タブレット、タッチパネル、マイクロフォン、入力端子、その他を含むことができ、表示手段はディスプレイなどである。また制御手段はメモリやハードディスクなどの記憶手段に記憶されたオペレーティングシステムその他のプログラムと、データを伝送するバスなどの伝送路等により、ハードウェアやソフトウェアの制御を行う。出力手段は出力端子を関してのデータ出力や、外部記憶装置、情報記憶媒体等へのデータ出力、音声出力などを行うものである。ネットワーク通信手段は、インターネットやＬＡＮに代表される通信手段を介してデータの送受信や通信制御を行うものである。これらの各手段の構成は、コンピュータ装置において各種の携帯が知られており、その構成も様々な形態を採用することができるので、特にこれらの構成には限定されない。
【００２４】
本発明のシステムは、作成または編集された音声データ素材を記憶する音声データ素材記憶手段を備えている。
本発明のシステムにおいては、音声データ中にスクリプトコマンドを挿入するなどして、データ処理を行い、配信される形態の音声データを作成するものであり、ここで音声データ素材は、配信される音声データの元になる素材としてのデータである。
ここで利用することのできる音声データは、データ形式としてはたとえばＷａｖｅファイル、ＡＶＩファイル、ＭＰＥＧファイル、その他の各種の音声フォーマットによるデータファイルを利用することができる。また、音声データの内容には特に限定されず、音楽などのデータや、講演、講義、プレゼンテーション、効果音、自然の音声、各種の音素材を編集した組み合わせ、その他の様々な内容のデータを用いることができる。
【００２５】
図２は、音素材である音声データ素材から、スクリプトコマンドを音声データに挿入し、音声データを配信可能な形式に変換し、音声の時間軸に従い各種のデータファイル（時間軸データファイルという、以下同じ）を表示させることの可能な音声データを製作する処理の基本的な流れを概念図で示したものである。
完成されるデータファイルは、音声データと、音声データの再生に同期して表示される時系列データファイル、たとえばデザインされたＨＴＭＬファイルその他のデータファイルであり、またそれらが時間軸に沿って連携してインターネットで配信可能な番組とするために、ブラウザ内に表示エリアや操作エリア等を含むデータファイル（以下、表示エリアデータファイルという）が作成される。
音声データ素材は、新規に各種ソフトウェア等を用いて作成し、あるいは収録してもよく、また既存の音声データを利用したり、これらを編集したりして利用することができる。
【００２６】
次に本発明のシステムは、作成または編集された音声データを、ＷＥＢ上で配信可能なデータ形式にエンコードする音声データエンコード手段を備えている。音声データエンコード手段は、音声データをＷＥＢ上にアップロードするために、ストリーミング形式のファイルに変換する。変換後のデータ形式は、ＷＭＡファイル、ＷＭＶファイル、ＡＳＦファイルなどの形式である。
エンコード手段としては、データ変換を行うプログラムが開発されており、たとえば音声データ素材を直接「Ｗｉｎｄｏｗｓ（登録商標）Ｍｅｄｉａエンコーダ」などのプログラムでエンコードすることができる。
【００２７】
また、本発明のシステムは、スクリプトコマンドが挿入された音声データを記憶する音声データ記憶手段を備えている。
音声データ記憶手段は、エンコード後の、ＷＥＢ上で配信可能なデータ形式にされた音声データファイルを記憶するものである。
【００２８】
また、本発明のシステムは、音声データのタイムライン上における所定の時間軸の範囲に関連付けて挿入されたスクリプトコマンドにより指定された、時間軸に従い表示される時系列データファイルを記憶する時系列データファイル記憶手段を備えている。
時間軸に従い表示される時系列データファイルは、ＨＴＭＬなどのハイパーテキストデータ、テキストデータ、画像データ、動画像データ、アニメーションデータ、のいずれかを少なくとも含む、配信音声データの作成方法である。
図３は、本発明の音声ファイルを再生する際のタイムラインを横軸の矢印で示したものであり、音声ファイルに挿入されたスクリプトコマンドにより、指定された時間軸上のタイミングにおいて、指定された時系列データファイルを、指定された表示エリアに表示させるタイムラインの概念を示している。時間軸に従い表示される時系列データファイルとして、ＨＴＭＬファイルを用いる例を示している。
また図４は、表示エリアＢを含む表示エリアデータファイルＡがウェブサイトにおいてフレーム表示を構成するファイルであり、表示エリアと、表示・再生の制御を行う記述を含む再生制御エリアとを含み構成される画面の概要を示している。
【００２９】
また、本発明のシステムは、前記時系列データファイルを表示させる表示エリアＢを含む表示エリアデータファイルＡを記憶する表示エリアデータファイル記憶手段を備えている。
系列データファイルを表示させる表示エリアを含む表示エリアデータファイルは、ＨＴＭＬなどのハイパーテキストデータであって、スクリプトコマンドを含む音声データを指定する記述、および表示エリアに時系列データファイルを表示させる記述を含む再生制御エリアと、時系列データファイルが表示される表示エリアと、を少なくとも含み構成される。また、操作ボタンや、各種のデータファイル等へのハイパーリンク、その他の構成を含むことができる。
【００３０】
以下、本発明の第一の実施形態の基本的な処理の流れについて説明する。なお、ここに示される処理に流れは一例であって、これに限定されるものではなく、様々な応用や変形が可能である。
作成または編集された音声データを、ＷＥＢ上で配信可能なデータ形式にエンコードする処理を行う。
音声データエンコード手段を起動し、ＷＥＢ上で配信可能な、例えばＡＳＦ形式などのデータファイルに変換する。ストリーム形式を選択し、入力ソースのデータ形式を選択し、またエンコードするデータファイルと、変換後のファイルの出力先を指定して、エンコードを行う。エンコードが完了すると、指定したディレクトリに指定したデータ形式のファイルができ、ブラウザのプラグイン・ソフトウェアなどにより再生をすることができる。
【００３１】
次に、音声データのタイムライン上における所定の時間軸の範囲に関連付けて、時間軸に従い表示される時系列データファイルを指定するが、時間軸に従い表示エリアに表示されるＨＴＭＬなどのハイパーテキストデータ、テキストデータ、画像データ、その他の時系列データファイルは、タイムラインに合わせた見せ方、デザイン、構成、タイミングや動きなどを取り入れることができるので、構成をあらかじめ設定しておくことが望まれる。
【００３２】
次に本発明のシステムは、音声データのタイムライン上における所定の時間軸の範囲に関連付けて、時間軸に従い表示される時系列データファイルを指定するスクリプトコマンドを、音声データに挿入し、前記のスクリプトコマンドの挿入処理を、表示される時系列データファイルごとに必要に応じ行う、スクリプトコマンド作成挿入手段を備えている。
音声データのタイムライン上における所定の時間軸の範囲に関連付けて挿入されたスクリプトコマンドは、音声データのタイムライン上の時間と、スクリプトコマンドの種類と、スクリプトコマンドから表示エリアデータファイルに渡されて表示エリアに表示させる時系列データファイルを識別するパラメータとを含む。
【００３３】
図５は、エンコードされた音声データにスクリプトコマンドを挿入するタイムラインの構成の例を示すものである。スクリプトコマンドの要素として、図５に示す例では、音声データのタイムライン上の時間であるｓｃｒｉｐｔ　ｔｉｍｅと、スクリプトコマンドの種類であるｓｃｒｉｐｔ　ｔｙｐｅと、スクリプトコマンドから表示エリアデータファイルに渡されて表示エリアに表示させる時系列データファイルを識別するパラメータであるｓｃｒｉｐｔ　ｐａｒａｍｅｔｅｒが含まれている。
ｓｃｒｉｐｔ　ｔｉｍｅは、音データからスクリプトコマンドが送られる時間を指定する。
ｓｃｒｉｐｔ　ｔｙｐｅは、スクリプトコマンドの種類（ｖｎｅｔｃｍｄ　オリジナルコマンド）を指定する。
ｓｃｒｉｐｔ　ｐａｒａｍｅｔｅｒは、上記コマンドに付随して送られるパラメータであり、表示させるデータファイルを指定する。
完成した上記の音声データが再生されると、ｓｃｒｉｐｔ
ｔｉｍｅで指定される時間に従って、スクリプトコマンドが、再生制御データが埋め込まれたページ（ＨＴＭＬ）に対して送られる。
【００３４】
図２を再度参照し、スクリプトコマンドを、音声データに挿入する処理は、音声データのタイムライン上における所定の時間軸の範囲に関連付けて、時間軸に従い表示される時系列データファイルを指定する。すなわち前記の要素を含むスクリプトコマンドを音声データに挿入する。
コマンド挿入位置は、タイムライン（時間軸）上を指定することにより挿入可能なことが望ましい。スクリプトコマンドの種類は、表示される時系列データファイルのデータ形式や、データ内容、その他により様々に設定することができる。図１２に示す例を説明すると、「ｖｎｅｔｃｍｄ　１」「ｖｎｅｔｃｍｄ　２」「ｖｎｅｔｃｍｄ　３」「ｖｎｅｔｃｍｄ　ｎ」はそれぞれ音楽などの音声に合わせて表示されるコンテンツデータを想定したものであり、また「ｃｍ　１」「ｃｍ　２」は、挿入される広告（ＣＭ）などを想定したものであるが、コンテンツの内容は様々に構成することができるので、それらの内容には特に限定されない。
【００３５】
次に、図４を再度参照すると、フレームページの例である表示エリアデータファイルＡの表示時に、表示エリアＢ、再生制御エリアＣをそれぞれ指定の場所、大きさで表示する。
Ｂは初期ページを表示し、音声データの再生と共に時系列データファイルが再生されるエリアである。
Ｃには再生制御データがソースとして指定されている。
Ｃに記述されたＪａｖａ（登録商標）ｓｃｒｉｐｔなどのプログラム（スクリプト）により、デザインされたＨＴＭＬページを所定の場所（Ｂ：表示エリア）に読み込む。上記ＨＴＭＬ等のハイパーテキストデータファイルは同一サーバーまたは外部サーバーに備えられる。ＨＴＭＬ等のファイルは埋め込みＦＬＡＳＨ、Ｗｉｎｄｏｗｓ（登録商標）メディアプレーヤー等の再生制御データ、画像、テキストデータなどの、ＨＴＭＬ等のハイパーテキストで実現できる全てのものを含むことができる。
【００３６】
次に図６を参照して、再生制御データの記述について説明する。
再生制御エリアＣに記述されたＪａｖａ（登録商標）ｓｃｒｉｐｔなどのプログラム（スクリプト）は、音声データ最盛時に、前記のスクリプトコマンドから音声データのタイムライン上の時間と、スクリプトコマンドの種類と、表示させる時系列データファイルを識別するパラメータとをスクリプトコマンドから渡されて、再生を制御する。
再生制御エリアＣに記述されているスクリプトの一例を下記に示す。
【００３７】
2004045776.tif 000003
【００３８】
スクリプトの説明：
「ｖｎｅｔｃｍｄ」という文字列を受け取った場合に、まずターゲットファイル名を生成する。
ターゲットファイル名は、「ｐａｇｅｓ／ｄ」から始まり、スクリプトと共に送られてきたパラメータ値を挿入し、ＨＴＭＬの拡張子をつける。
「ｐａｇｅｓ／ｄ」は「ｐａｇｅｓ／」という下位ディレクトリ内に表示されるＨＴＭＬファイルが格納されている。ファイル名に「ｄ」とあるのは任意に設定が可能である。任意のスクリプトタイプにより任意の動作をプログラムすることができる。
【００３９】
上記スクリプトは常に再生制御エリアＣに埋め込まれた再生制御データ、たとえばＷｉｎｄｏｗｓ（登録商標）メディアプレーヤーの例で説明すればＷＭＰオブジェクトと通信している。
図７を参照してスクリプトコマンドの流れと動作について説明する。
「ＷＭＰ」から送信されたスクリプトコマンドが同一ページ内にあるスクリプト（Ｊａｖａ（登録商標）ｓｃｒｉｐｔ）に送られる（図７の▲１▼）。
Ｊａｖａ（登録商標）ｓｃｒｉｐｔでは受け取ったスクリプトコマンドを判別し、そのコマンドに適した記述どおりの動作を実行する。
上記の実行では、受け取ったパラメータを元にファイルパス、ファイル名（ＨＴＭＬ）を生成して、そのＨＴＭＬファイルを表示エリアに表示させる（図７の▲２▼）。上記と同様にＷＷＷブラウザを外部起動させることも可能である（図７の▲２▼’）。
なお、Ｊａｖａ（登録商標）ｓｃｒｉｐｔの記述方法により、あるＨＴＭＬ（ローカル／インターネット上）を表示エリア内、またはＷＷＷブラウザ（外部起動）に表示させることができる。
また、表示されるＨＴＭＬはフレームも利用可能であり、表示エリアに１つのＨＴＭＬ表示には限定されない。
【００４０】
次に、前記のスクリプトコマンドの挿入処理を、表示される時系列データファイルごとに必要に応じ行う。
図８から図１１は、音声データの時間軸に従い、様々な時系列データファイルが表示エリアに表示されるように設定する、タイムラインの構成のパターンの一例を示している。
図８は、時間軸に沿って、表示されるＨＴＭＬファイルが変更される例を示す。図９は、表示されるフレーム画面のＨＴＭＬファイルが時間軸に沿って変更される形態である。
図１０および図１１は、表示されるＨＴＭＬファイルが時間軸に沿って変更されると共に、ＣＭなどの広告等データファイルが挿入されて表示される例を示している。広告等データファイルは動画像などを用いることもでき、操作ボタン等により、再生、一時停止、などの操作が可能なことが好ましい。図１０はＣＭムービーの時間（長さ）があらかじめ設定されて、音声データのタイムライン内に組み込まれている例である。一方図１１の例では、ＣＭムービーの時間（長さ）はユーザーの操作に依存し、操作内容によって変動するので、その間の経過時間を計測し、ＣＭムービーからＨＴＭＬファイルの表示に戻る際に、計測された時間経過後のタイムラインの地点に戻り、ＨＴＭＬファイルの再生表示を行う。すなわち、動画像データなどの時間軸に従った再生に際して、音声データのタイムラインと、再生され表示される時系列データファイルのタイムラインとを同期させるための時間計測・制御手段により再生の制御を行う。
【００４１】
以上のようにして作成された、音声データのタイムライン上における所定の時間軸の範囲に関連付けて挿入されたスクリプトコマンドにより指定された、時間軸に従い表示される時系列データファイルと、時系列データファイルを表示させる表示エリアを含む表示エリアデータファイルを、指定された格納場所に記憶する。
【００４２】
また、請求項２に記載の発明によれば、さらに前記の処理により作成された音声データ、時間軸に従い表示される時系列データファイル、および表示エリアを含む表示エリアデータファイルを、サーバーの所定場所に格納する処理を経ることにより、ＷＥＢサーバーへアップロードして配信可能にする。
【００４３】
（第二の実施形態）
次に、本発明の第二の実施形態について説明する。
本発明の第二の実施形態は、これまでに説明したデータのＷＥＢ上での配信に関するものである。
入力手段、制御手段、表示手段、出力手段、記憶手段等を備え、インターネットに代表される通信手段に接続されて備えられたサーバーにアクセス可能なコンピュータ等の端末において、操作により行われるデータ処理方法であって、前記の処理により作成された音声データ、時間軸に従い表示される時系列データファイル、および表示エリアを含む表示エリアデータファイルを、サーバーの所定場所に格納する処理と、を少なくとも経る、配信音声データの作成方法である。
【００４４】
図１２は、本発明の第二の実施形態における基本的なシステム構成の一例を示すブロック図である。
本発明の第二の実施形態は、インターネットに代表される通信手段に接続されて備えられたサーバーシステムであって、音声データの配信を行うＷＥＢサーバー等により構成されるシステムである。
【００４５】
本発明のサーバーシステムに接続するためのユーザー端末としては、通常、パーソナルコンピュータやワークステーションなどのコンピュータ端末が用いられる。この他、利用者端末には、インターネット等に接続可能なブラウザ機能を搭載した携帯電話をはじめとする無線通信端末、携帯情報端末や、インターネットＴＶ、ゲーム機器、テレビ会議システム、その他のネットワーク接続機能を備えた家電製品などの機器を広く含む。
コンピュータ端末は、制御手段、記憶手段、入力手段、出力手段、表示手段などを備える。またインターネットに代表されるコンピュータネットワークに接続詞、データの送受信を行う機能を備え、ブラウザや電子メールソフトウェア、ワードプロセッサなどのアプリケーションプログラムや、オペレーティングシステム（ＯＳ）を備えることが通常の形態である。
【００４６】
サーバーシステムは、インターネットに代表されるネットワークに接続されて備えられ、コンピュータネットワークに接続するユーザー端末からアクセスされる。
ここでネットワークには、インターネットをはじめとして、専用線により接続されたネットワーク形態や、企業内ＬＡＮ、企業間ＬＡＮ、ＷＡＮなどの形態を広く含む。またここで用いられる通信回線の形態には、有線通信、無線通信の形態を広く含み、衛星通信や、Ｂｌｕｅｔｏｏｔｈなどを用いた形態を含む。
【００４７】
次に、本発明のサーバーシステムは、通常は、アプリケーションサーバー、データベースサーバー、認証サーバー、ＷＥＢサーバー、その他必要に応じメールサーバー、その他の各種装置により構成することができる。
これらの各サーバーは、物理的に同一の装置に設けられる形態や、物理的に複数の装置からなる形態、あるいはネットワークを介して接続される物理的に複数の装置からなる形態などを含み、機能的に同様の機能が実現されるならば、様々な形態を含む。
【００４８】
サーバーシステムは、ＷＥＢ上で配信可能なデータ形式にエンコードされた音声データのタイムライン上における所定の時間軸の範囲に関連付けて、時間軸に従い表示される時系列データファイルを指定するスクリプトコマンドを、表示される時系列データファイルごとに必要に応じ挿入した音声データを記憶する、音声データ記憶手段を備えている。
音声データのタイムライン上における所定の時間軸の範囲に関連付けて挿入されたスクリプトコマンドは、音声データのタイムライン上の時間と、スクリプトコマンドの種類と、スクリプトコマンドから表示エリアデータファイルに渡されて表示エリアに表示させる時系列データファイルを識別するパラメータとを含む。
【００４９】
次に、サーバーシステムは、音声データのタイムライン上における所定の時間軸の範囲に関連付けて挿入されたスクリプトコマンドにより指定された、時間軸に従い表示される時系列データファイルを記憶する時系列データファイル記憶手段を備えている。
時間軸に従い表示される時系列データファイルは、ＨＴＭＬなどのハイパーテキストデータ、テキストデータ、画像データ、動画像データ、アニメーションデータ、その他のデータ形式を用いることができる。
【００５０】
サーバーシステムは、時系列データファイルを表示させる表示エリアと再生制御エリアとを含む表示エリアデータファイルを記憶する表示エリアデータファイル記憶手段を備えている。
時系列データファイルを表示させる表示エリアと再生制御エリアとを含む表示エリアデータファイルは、ＨＴＭＬなどのハイパーテキストデータであって、スクリプトコマンドを含む音声データを指定する記述、および表示エリアに時系列データファイルを表示させる記述を含む再生制御エリアと、時系列データファイルが表示される表示エリアと、を少なくとも含み構成される。
【００５１】
これらの各データファイルは、サーバーシステムにおいては、ユーザー端末からアクセスするためのコンテンツデータ及びプログラム等を記憶するＷＥＢサーバーに通常記憶されている。
コンテンツデータには、ＨＴＭＬファイル、ＸＭＬファイルなどのＷＥＢ上に表示されるデータファイルや、Ｃ−ＨＴＭＬファイルなどのＷＥＢサイトにアクセス可能な携帯電話等に表示されるデータファイルなどが含まれる。
また、これらのファイルに挿入されるなどして表示又は出力される、文字データファイル、音声データファイル、画像データファイル、動画像データファイル、アニメーションデータファイル，その他の様々なコンテンツデータを記憶することができる。
プログラムは、顧客端末からの検索要求に応答してコンテンツ記憶手段等に記憶された動画コンテンツデータを検索・抽出するプログラムや、抽出された動画コンテンツを配信するプログラム、その他のプログラムを含むことができる。
【００５２】
以下、本発明の基本的な処理の流れについて説明する。
図１３及び図１４は、本発明の基本的な処理の流れの一例を示すフローチャートである。
また、図１５から図２８は、ユーザー端末に表示される、表示エリアを含むデータファイルの画面例である。図１５から図２０は、表示エリアにＨＴＭＬファイルが時間軸に従い表示される例であり、図２１から図２６は、表示エリアにフレーム画面のＨＴＭＬファイルが時間軸に従い表示される例である。
図２７及び図２８は、より具体的な画面イメージと機能の例を示す。
【００５３】
サーバーシステムは、アクセスして音声データの配信要求を行ったユーザー端末に対し、配信要求に従い、表示エリアデータファイルと、ユーザーがユーザー端末からの選択・指定により配信要求した音声データファイルとを配信するデータ配信手段を備えている。
【００５４】
ユーザーがウェブサイトの閲覧等により、音声データを選択・指定して、すトリミング配信などの配信を要求した場合には、図１４に示すように、音声データが再生され、再生制御エリアＣのＨＴＭＬ等のハイパーテキスト・コンテンツ内に記述されたスクリプト（Ｊａｖａ（登録商標）ｓｃｒｉｐｔ）が、スクリプトコマンドの有無を監視し判定する。
スクリプトコマンドが音声データに挿入されていた場合には、スクリプトコマンドとそれに含まれるパラメータを再生制御エリアＣのＨＴＭＬ等のハイパーテキスト・コンテンツ内に記述されたスクリプト（Ｊａｖａ（登録商標）ｓｃｒｉｐｔ）に送る。音声データの再生が続く間、スクリプトコマンドの有無を監視し判定する。
【００５５】
一方、スクリプトコマンドがあった場合の表示処理は、図１５に示すような処理である。
配信され再生される音声データに挿入された、スクリプトコマンドを解釈し、タイムライン上における所定の時間軸の範囲に関連付けられた時系列データファイルを抽出するスクリプトコマンド解釈手段（Ｊａｖａ（登録商標）ｓｃｒｉｐｔ等）が、スクリプトコマンドを検知し受け取ると、それが有効か否かを判定し、有効であれば、パラメータを利用して表示エリアに表示するＨＴＭＬファイルへのパスを生成する。
次いで、抽出された時系列データファイルをユーザー端末に送信し、所定の表示エリアに表示させるデータファイル表示制御手段により、生成されたパスに存在するＨＴＭＬファイルを表示エリアに表示させる。
【００５６】
図１５から図２０を参照して、表示エリアにＨＴＭＬファイルが時間軸に従い表示される例について説明する。
図１５において初期画面が表示され、いくつもの音声データメニューなどのチャンネルがある例であり、チャンネルへのハイパーリンクがチャンネル内容の紹介等である場合には、図１６のような紹介画面に進む。ユーザーがチャンネルを選択すると図１７に進み、表示エリアにおいて、音声再生に従い時系列データファイルの再生が行われる。
表示されるＨＴＭＬファイルなどの時系列データファイルは、番組（音データ）にスクリプトコマンドが挿入されることで一体化・依存しており、番組内での時間軸に従い表示されるデータファイルが変わり、また次の番組（音声データ）が再生されると、その音声データの時間軸に従い表示が行われる（図１８から図２０）。
図２１から図２６は、表示エリアにフレーム画面のＨＴＭＬファイルが時間軸に従い表示される例であり、表示処理の流れ自体は上記と同様である。
【００５７】
また、前記の通り、本発明の実施形態としては様々なデータファイルを用いて様々な番組構成を採用することができる。音声データのタイムライン上における所定の時間軸の範囲に関連付けて挿入されたスクリプトコマンドにより指定された、時間軸に従い表示される広告等データファイルを記憶する広告等データファイル記憶手段が備えられ、時間軸に従い表示される時系列データファイルの少なくともいずれかが、配信音声データのスポンサーが提供する広告等データファイルであるようにすることにより、データ配信のスポンサー企業等によるデータ提供をすることができる。
さらに、本発明の実施形態としては様々なデータファイルを用いて様々なページ構成を採用することができる。図２７および図２８にも一例を示すように、時系列データファイル、または表示エリアデータファイルには、他のデータファイルへのハイパーリンク情報が記述され、他のページへ飛んだり、あるいは電子メールや電子掲示板等を起動したりすることができる。
【００５８】
【発明の効果】
以上詳細に説明したように、本発明によれば、音声データと画像や映像などの他の形式のデータを組み合わせ、自由に構成して、しかもこれらを同期させたコンテンツの制作と、配信を行うことが可能になる。
また、音声と共に表示されるコンテンツとして、ＨＴＭＬファイル、その他のデータ量の少ないコンテンツや、様々なデータ形式、データ内容のコンテンツを自由に組み合わせて構成することができ、音声と他のデータとの同期再生が可能になる。今後普及が見込まれるデータ配信、インターネットを通じた番組配信においても、配信するコンテンツの不足や、コンテンツ制作の期間、費用、人材などに悩まされることも少なくなる。
さらに本発明によれば、音声、映像、画像、文字などの様々なデータ形式を扱い、再生することのできるコンピュータを用いた通信によって、ユーザーの興味を魅く様々な表現が可能になる。また番組形式のような配信方法において、広告スポンサーなどが広告を出したくなるような表現方法と、ユーザーの関心や利用者数などを集めやすい、表現豊かな配信形式を開発することができる。
さらに、音声データは音楽に限られず、講演、セミナー、講義、教材、その他の様々な分野において利用可能な表現形式を提供することができる。
【図面の簡単な説明】
【図１】本発明の第一の実施形態の基本的な構成の一例を示すブロック図である。
【図２】音素材である音声データ素材から、スクリプトコマンドを音声データに挿入し、音声データを配信可能な形式に変換し、音声の時間軸に従い各種のデータファイルを表示させることの可能な音声データを製作する処理の基本的な流れを示す図である。
【図３】指定された時系列データファイルを、指定された表示エリアに表示させるタイムラインの概念を示す図である。
【図４】表示エリアＢを含む表示エリアデータファイルＡがウェブサイトにおいてフレーム表示を構成するファイルであり、表示エリアと、表示・再生の制御を行う記述を含む再生制御エリアとを含み構成される画面の概要を示す図である。
【図５】エンコードされた音声データにスクリプトコマンドを挿入するタイムラインの構成の例を示す図である。
【図６】再生制御データの記述についての説明図である。
【図７】スクリプトコマンドの流れと動作についての説明図である。
【図８】音声データの時間軸に従い、様々な時系列データファイルが表示エリアに表示されるように設定する、タイムラインの構成のパターンの一例を示す図である。
【図９】音声データの時間軸に従い、様々な時系列データファイルが表示エリアに表示されるように設定する、タイムラインの構成のパターンの一例を示す図である。
【図１０】音声データの時間軸に従い、様々な時系列データファイルが表示エリアに表示されるように設定する、タイムラインの構成のパターンの一例を示す図である。
【図１１】音声データの時間軸に従い、様々な時系列データファイルが表示エリアに表示されるように設定する、タイムラインの構成のパターンの一例を示す図である。
【図１２】本発明の第二の実施形態における基本的なシステム構成の一例を示すブロック図である。
【図１３】本発明の基本的な処理の流れの一例を示すフローチャートである。
【図１４】本発明の基本的な処理の流れの一例を示すフローチャートである。
【図１５】表示エリアにＨＴＭＬファイルが時間軸に従い表示される画面イメージ図である。
【図１６】表示エリアにＨＴＭＬファイルが時間軸に従い表示される画面イメージ図である。
【図１７】表示エリアにＨＴＭＬファイルが時間軸に従い表示される画面イメージ図である。
【図１８】表示エリアにＨＴＭＬファイルが時間軸に従い表示される画面イメージ図である。
【図１９】表示エリアにＨＴＭＬファイルが時間軸に従い表示される画面イメージ図である。
【図２０】表示エリアにＨＴＭＬファイルが時間軸に従い表示される画面イメージ図である。
【図２１】表示エリアにフレーム画面のＨＴＭＬファイルが時間軸に従い表示される画面イメージ図である。
【図２２】表示エリアにフレーム画面のＨＴＭＬファイルが時間軸に従い表示される画面イメージ図である。
【図２３】表示エリアにフレーム画面のＨＴＭＬファイルが時間軸に従い表示される画面イメージ図である。
【図２４】表示エリアにフレーム画面のＨＴＭＬファイルが時間軸に従い表示される画面イメージ図である。
【図２５】表示エリアにフレーム画面のＨＴＭＬファイルが時間軸に従い表示される画面イメージ図である。
【図２６】表示エリアにフレーム画面のＨＴＭＬファイルが時間軸に従い表示される画面イメージ図である。
【図２７】具体的な画面イメージと機能の一例を示す図である。
【図２８】具体的な画面イメージと機能の一例を示す図である。
【図１】
2004045776.tif 000004
【図２】
2004045776.tif 000005
【図３】
2004045776.tif 000006
【図４】
2004045776.tif 000007
【図５】
2004045776.tif 000008
【図６】
2004045776.tif 000009
【図７】
2004045776.tif 000010
【図８】
2004045776.tif 000011
【図９】
2004045776.tif 000012
【図１０】
2004045776.tif 000013
【図１１】
2004045776.tif 000014
【図１２】
2004045776.tif 000015
【図１３】
2004045776.tif 000016
【図１４】
2004045776.tif 000017
【図１５】
2004045776.tif 000018
【図１６】
2004045776.tif 000019
【図１７】
2004045776.tif 000020
【図１８】
2004045776.tif 000021
【図１９】
2004045776.tif 000022
【図２０】
2004045776.tif 000023
【図２１】
2004045776.tif 000024
【図２２】
2004045776.tif 000025
【図２３】
2004045776.tif 000026
【図２４】
2004045776.tif 000027
【図２５】
2004045776.tif 000028
【図２６】
2004045776.tif 000029
【図２７】
2004045776.tif 000030
【図２８】
2004045776.tif 000031